(57)【要約】【課題】ロープがシーブから外れることを規制する外れ止め部材の取付が容易なエレベータ及びシーブカバー取付方法を提供する。【解決手段】エレベータは、カゴ室と、カウンターウエイトと、カゴ室及びカウンターウエイトを吊りあげるロープと、ロープを掛けまわすシーブと、シーブを回転させるモータと、シーブを覆うシーブカバーと、両端にねじ切りを有するバー及びシーブカバーの厚さと等しい長さだけ外寸を設けてバーに固定される第１の終端部材及び第２の終端部材を備え、ロープがシーブから外れることを規制するとともにシーブカバーをモータに固定する外れ止め部材と、を備える。【選択図】図３
2015168537.tif 000002
【特許請求の範囲】
【請求項１】
カゴ室と、
カウンターウエイトと、
前記カゴ室及び前記カウンターウエイトを吊りあげるロープと、
前記ロープを掛けまわすシーブと、
前記シーブを回転させるモータと、
前記シーブを覆うシーブカバーと、
両端にねじ切りを有するバー及び前記シーブカバーの厚さと等しい長さだけ外寸を設けて前記バーに固定される第１の終端部材及び第２の終端部材を備え、前記ロープが前記シーブから外れることを規制するとともに前記シーブカバーを前記モータに固定する外れ止め部材と、
を備えるエレベータ。
【請求項２】
前記外れ止め部材は、
前記外寸を補完するための補完ナットをさらに備える請求項１記載のエレベータ。
【請求項３】
両端にねじ切りを有するバー及びロープを掛けまわすシーブを覆うシーブカバーの厚さと等しい長さだけ外寸を設けて前記バーに固定される第１の終端部材及び第２の終端部材を備え、前記ロープが前記シーブから外れることを規制する外れ止め部材によって前記シーブカバーを、前記シーブを回転させるモータに固定するシーブカバー取付方法。
【請求項４】
前記外れ止め部材は、
前記外寸を補完するための補完ナットをさらに備える請求項３記載のシーブカバー取付方法。
【発明の詳細な説明】
【技術分野】
【０００１】
本発明の実施形態は、エレベータ及びシーブカバー取付方法に関する。
【背景技術】
【０００２】
エレベータはカゴ室及びカウンターウエイトを結ぶロープを巻上機によって巻き上げることによりカゴ室を昇降させる。
【０００３】
巻上機は、ロープを掛けまわすシーブと、シーブを回転させるモータと、ロープがシーブから外れることを規制する外れ止め部材と、シーブを覆うシーブカバーと、を備える。外れ止め部材は、シーブカバーとモータとを締結するため、シーブカバーのモータへの係止具としての役割もある。
【０００４】
従来のエレベータは、外れ止め部材は、両端部がねじ切りされたバーと、取り外し可能にバーの両端部に取り付けられるナットと、から構成されていた。従って、ナット間の間隔をシーブカバーの幅に合わせるための調整作業が必要であった。
【０００５】
この調整作業は、ナット間の間隔の調整と、シーブカバーの取り外しと、の繰り返しの作業が発生することがあった。
【０００６】
また、巻上機は昇降路の天井付近に設置されることが多く、巻上機を昇降路に設置することは作業がしにくいことが多い。従って、この調整作業は作業効率の悪いものとなっていた。
【先行技術文献】
【特許文献】
【０００７】
【特許文献１】特開２０１２−１３６３４８号公報
【発明の概要】
【発明が解決しようとする課題】
【０００８】
従って、本実施形態はロープがシーブから外れることを規制する外れ止め部材の取付が容易なエレベータ及びシーブカバー取付方法を提供することを目的とする。
【課題を解決するための手段】
【０００９】
上記の課題を解決するために、一実施形態はカゴ室と、カウンターウエイトと、カゴ室及びカウンターウエイトを吊りあげるロープと、ロープを掛けまわすシーブと、シーブを回転させるモータと、シーブを覆うシーブカバーと、両端にねじ切りを有するバー及びシーブカバーの厚さと等しい長さだけ外寸を設けてバーに固定される第１の終端部材及び第２の終端部材を備え、ロープがシーブから外れることを規制するとともにシーブカバーをモータに固定する外れ止め部材と、を備えるエレベータを提供する。
【図面の簡単な説明】
【００１０】
【図１】エレベータの側面図である。
【図２】巻上機の外観斜視図である。
【図３】巻上機の分解斜視図である。
【図４】外れ止め部材の正面図である。
【図５】応用例に係る外れ止め部材を示す正面図である。
【発明を実施するための形態】
【００１１】
以下、エレベータ及びシーブカバー取付方法の一実施形態について、図面を用いて詳細に説明する。
【００１２】
本実施形態のエレベータの一実施形態はカゴ室と、カウンターウエイトと、カゴ室及びカウンターウエイトを吊りあげるロープと、ロープを掛けまわすシーブと、シーブを回転させるモータと、シーブを覆うシーブカバーと、両端にねじ切りを有するバー及びシーブカバーの厚さと等しい長さだけ外寸を設けてバーに固定される第１の終端部材及び第２の終端部材を備え、ロープがシーブから外れることを規制するとともにシーブカバーをモータに固定する外れ止め部材と、を備える。
【００１３】
図１は、本実施形態に係るエレベータ１００の側面図である。図１に示すように、エレベータ１００は、乗客を乗せるカゴ室１０１と、カウンターウエイト１０３と、カゴ室１０１及びカウンターウエイト１０３を吊りあげるロープ１０６と、ロープ１０６を巻き上げる巻上機１０２と、カゴ室１０１が昇降する昇降路１１０と、乗場側ドア１０４と、乗場側ドア１０４の下方に設置されるステップ部１０５と、エレベータの運行を制御する制御部１０７と、を備える。
【００１４】
カゴ室１０１は、カゴ室側ドア１０１Ａと、カゴ室側ドア１０１Ａの昇降路１１０側に設置される係合装置１０１Ｂと、を備える。
【００１５】
乗場側ドア１０４は、昇降路１１０側に係合装置１０１Ｂと係合する突起部１０４Ａを備える。
【００１６】
制御部１０７は、指示された行き先階までカゴ室１０１を昇降させる。行き先階にカゴ室１０１が到着すると、係合装置１０１Ｂと突起部１０４Ａとが係合している状態となる。この状態にてカゴ室側ドア１０１Ａが開閉すると乗場側ドア１０４が従動して開閉する。
【００１７】
図２は、巻上機１０２の外観斜視図である。図３は、巻上機１０２の分解斜視図である。図２及び図３に示すように、巻上機１０２は、ロープ１０６を掛けまわすシーブ２０３と、シーブ２０３を回転させるモータ２０１と、シーブ２０３を覆うシーブカバー２０２と、ロープ１０６がシーブ２０３から外れることを規制する外れ止め部材３０１と、を備える。
【００１８】
外れ止め部材３０１は、両端にねじ切りを有するバー３０１Ｌと、両端部のねじ切りを除いたバー３０１Ｌの端部に固定される第１の終端部材３０１Ａ及び第２の終端部材３０１Ｂと、を備える。
【００１９】
第１の終端部材３０１Ａ及び第２の終端部材３０１Ｂは、例えばナットでもよく、バー３０１Ｌに溶接、接着剤、又はその他の係止具によって固定される。
【００２０】
外れ止め部材３０１の一端は、モータ２０１が有するボルト穴２０１Ａに嵌め込まれる。外れ止め部材３０１の他端はシーブカバー２０２が有する挿通孔２０２Ａに挿通され、ナット３０２によって締結される。
【００２１】
巻上機１０２は、外れ止め部材３０１をカゴ室１０１側とカウンターウエイト１０３側にそれぞれ少なくとも１本ずつ有する。
【００２２】
シーブカバー２０２は、シーブ２０３の回転軸方向の厚さＷ１を有する。
【００２３】
図４は、外れ止め部材３０１の正面図である。図４に示すように、外れ止め部材３０１は、両端がねじ切りされたバー３０１Ｌと、両端部のねじ切りを除いたバー３０１Ｌの端部に固定される第１の終端部材３０１Ａ及び第２の終端部材３０１Ｂと、を備える。
【００２４】
第１の終端部材３０１Ａ及び第２の終端部材３０１Ｂの厚さを含んだ間隔の長さ、すなわち外寸はシーブカバー２０２の厚さＷ１と等しい。
【００２５】
従って、モータ２０１にシーブカバー２０２及び外れ止め部材３０１を取り付ける際に、第１の終端部材３０１Ａ及び第２の終端部材３０１Ｂの間隔調整の作業が不要となる。
【００２６】
図５は、応用例に係る外れ止め部材３０１を示す正面図である。図５に示すように、外れ止め部材３０１は、第１の終端部材３０１Ａ及び第２の終端部材３０１Ｂの間隔を補完する補完ナット３０１Ｃを備える。
【００２７】
第１の終端部材３０１Ａ及び第２の終端部材３０１Ｂの厚さを含んだ間隔の長さがシーブカバー２０２の厚さＷ１に満たない場合、一つ又は複数の補完ナット３０１Ｃを外れ止め部材３０１のモータ２０１側端部に用いることができる。
【００２８】
この場合、補完ナット３０１Ｃ、第１の終端部材３０１Ａ、及び第２の終端部材３０１Ｂの厚さを含んだ間隔の長さ、すなわち外寸はシーブカバー２０２の厚さＷ１と等しい。
【００２９】
従って、容易に外れ止め部材３０１の取付間隔を調整することが可能となる。
【００３０】
以上述べたように、本実施形態のエレベータは、カゴ室１０１と、カウンターウエイト１０３と、カゴ室１０１及びカウンターウエイト１０３を吊りあげるロープ１０６と、ロープ１０６を掛けまわすシーブ２０３と、シーブ２０３を回転させるモータ２０１と、シーブ２０３を覆うシーブカバー２０２と、両端にねじ切りを有するバー３０１Ｌ及びシーブカバー２０２の厚さＷ１と等しい長さだけ外寸を設けてバー３０１Ｌに固定される第１の終端部材３０１Ａ及び第２の終端部材３０１Ｂを備え、ロープ１０６がシーブ２０３から外れることを規制するとともにシーブカバー２０２をモータ２０１に固定する外れ止め部材３０１と、を備える。
【００３１】
従って、エレベータ１００を建物に設置する際に巻上機１０２の取付が容易となるという効果がある。
【００３２】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
１０１：カゴ室
１０２：巻上機
１０４：乗場側ドア
１０５：ステップ部
１０７：制御部
２０１：モータ
２０２：シーブカバー
３０１：外れ止め部材
【図１】
2015168537.tif 000003
【図２】
2015168537.tif 000004
【図３】
2015168537.tif 000005
【図４】
2015168537.tif 000006
【図５】
2015168537.tif 000007
【手続補正書】
【提出日】平成27年4月10日(2015.4.10)
【手続補正１】
【補正対象書類名】明細書
【補正対象項目名】０００９
【補正方法】変更
【補正の内容】
【０００９】
上記の課題を解決するために、一実施形態はカゴ室と、カウンターウエイトと、カゴ室及びカウンターウエイトを吊りあげるロープと、ロープを掛けまわすシーブと、シーブを回転させるモータと、シーブを覆うシーブカバーと、ロープがシーブから外れることを規制するとともにシーブカバーをモータに固定する外れ止め部材と、を備え、外れ止め部材は、両端にねじ切りを有するバーと、ねじ切りを除いたバーの端部に固定され、外寸がシーブカバーの厚さと等しい第１の終端部材及び第２の終端部材とを備えるエレベータを提供する。
【手続補正２】
【補正対象書類名】特許請求の範囲
【補正対象項目名】全文
【補正方法】変更
【補正の内容】
【特許請求の範囲】
【請求項１】
カゴ室と、
カウンターウエイトと、
前記カゴ室及び前記カウンターウエイトを吊りあげるロープと、
前記ロープを掛けまわすシーブと、
前記シーブを回転させるモータと、
前記シーブを覆うシーブカバーと、
前記ロープが前記シーブから外れることを規制するとともに前記シーブカバーを前記モータに固定する外れ止め部材と、を備え、
前記外れ止め部材は、
両端にねじ切りを有するバーと、
前記ねじ切りを除いたバーの端部に固定され、外寸が前記シーブカバーの厚さと等しい第１の終端部材及び第２の終端部材とを備えるエレベータ。
【請求項２】
前記外れ止め部材は、
前記外寸を補完するための補完ナットをさらに備える請求項１記載のエレベータ。
【請求項３】
両端にねじ切りを有するバーと、前記ねじ切りを除いたバーの端部に固定され、外寸がシーブカバーの厚さと等しい第１の終端部材及び第２の終端部材とを備えた外れ止め部材によって、前記シーブカバーを、シーブを回転させるモータに固定するシーブカバー取付方法。
【請求項４】
前記外れ止め部材は、
前記外寸を補完するための補完ナットをさらに備える請求項３記載のシーブカバー取付方法。